(57)【要約】【課題】イオンの減衰が少ない空気イオン搬送装置を提供する。【解決手段】例えば空調設備等に採用されて住宅等の部屋に空気イオンを搬送するものであり、集中換気装置１０１の筐体１０２内に設けられ、外部から給気した空気１０３に、正イオンを発生させる正イオン発生装置１０４ａと負イオンを発生させる負イオン発生装置１０４ｂとを所定間隔ｄをもって交互に配した空気イオン発生装置ユニット１０４と、前記筐体に設けられた継手１０５−１〜１０５−４に接続され、複数部屋へ個別に空気を搬送する空気ダクト１０６−１〜１０６−４と、前記空気イオン発生装置ユニット１０４を制御する制御装置とを具備してなり、各部屋の要求に応じて空気イオンの発生の有無又はイオン発生量を制御装置により調節してなる。【選択図】        図１
2005337610.tif 000002
【特許請求の範囲】
【請求項１】
外部から給気した空気に、負イオン又は正イオン又はこれらの両イオンを含ませる空気イオン発生装置を少なくとも０．１ｃｍ以上離して複数設置してなることを特徴とする空気イオン搬送装置。
【請求項２】
請求項１において、
外部から送風機を介して空気を導入する換気装置を有し、
該換気装置内に一定間隔を有して均等に複数の空気イオン発生装置を配設してなることを特徴とする空気イオン搬送装置。
【請求項３】
請求項２において、
前記送風機側に複数の空気イオン発生装置を配設してなることを特徴とする空気イオン搬送装置。
【請求項４】
請求項２において、
前記送風機の吹出し口側に複数の空気イオン発生装置を配設してなることを特徴とする空気イオン搬送装置。
【請求項５】
請求項２において、
前記送風機の吹出し口側にイオンの種類の異なる空気イオン発生装置を隣接してなることを特徴とする空気イオン搬送装置。
【請求項６】
請求項２において、
前記送風機の送風機側と吹出し口側との間のいずれかに、複数の空気イオン発生装置を配設してなることを特徴とする空気イオン搬送装置。
【請求項７】
請求項２乃至６のいずれか一つにおいて、
前記空気イオン発生装置が、負イオンを含ませる空気イオン発生装置又は正イオンを含ませる空気イオン発生装置のいずれか一種を配設してなることを特徴とする空気イオン搬送装置。
【請求項８】
請求項２乃至６のいずれか一つにおいて、
前記空気イオン発生装置が、負イオンを含ませる空気イオン発生装置又は正イオンを含ませる空気イオン発生装置を混在配設してなることを特徴とする空気イオン搬送装置。
【請求項９】
請求項２乃至６のいずれか一つにおいて、
前記空気イオン発生装置が、負イオンを含ませる空気イオン発生装置又は正イオンを含ませる空気イオン発生装置のいずれか一方又は両方と、負イオンと正イオンとを同時に発生する空気イオン発生装置とを混在配設してなることを特徴とする空気イオン搬送装置。
【請求項１０】
請求項２において、
前記送風機の吹出し口側に設けられた継手に接続され、１又は２以上の部屋へ個別に空気を搬送する空気ダクトを設けてなり、
前記換気装置内に空気ダクトに対応した仕切り部を配設してなり、該仕切り部内に負イオンと正イオンとを同時に発生する空気イオン発生装置を隣接してなることを特徴とする空気イオン搬送装置。
【請求項１１】
請求項２において、
前記送風機の吹出し口側に設けられた継手に接続され、１又は２以上の部屋へ個別に空気を搬送する空気ダクトを設けてなり、
前記換気装置内に空気ダクトに対応した仕切り部を配設してなり、該仕切り部内に負イオンと正イオンとを同時に発生する空気イオン発生装置を設けてなることを特徴とする空気イオン搬送装置。
【請求項１２】
請求項２乃至１１のいずれか一つにおいて、
前記送風機からの空気送風方向を導入する整流板を配設してなることを特徴とする空気イオン搬送装置。
【請求項１３】
外部から送風機を介して空気を導入する換気装置と、
前記送風機の吹出し口側に設けられた継手に接続され、１又は２以上の部屋へ個別に空気を搬送する空気ダクトを設けてなり、
前記送風機から空気ダクト側に向かって拡開した仕切り部を設けてなると共に、
前記送風機側に送風量を一時的に絞る絞り部を形成してなり、
前記絞り部内に負イオン又は正イオン又はこれらの両イオンを含ませる空気イオン発生装置を設けてなることを特徴とする空気イオン搬送装置。
【請求項１４】
外部から送風機を介して空気を導入する換気装置と、
前記送風機の吹出し口側に設けられた継手に接続され、１又は２以上の部屋へ個別に空気を搬送する空気ダクトを設けてなり、
前記送風機から空気ダクト側に向かって拡開した仕切り部を設けてなると共に、
前記送風機側に送風量を一時的に絞る絞り部を形成してなり、
前記絞り部内に負イオンと正イオンとを同時に発生する空気イオン発生装置を設けてなることを特徴とする空気イオン搬送装置。
【請求項１５】
請求項１３又は１４において、
空気イオン発生装置を少なくとも０．１ｃｍ以上離して複数設置してなることを特徴とする空気イオン搬送装置。
【発明の詳細な説明】
【技術分野】
【０００１】
本発明は、例えば住宅やオフィス等の部屋に負イオン（マイナスイオン）や正イオン（プラスイオン）を空気に含ませた空気イオンを供給する空気イオン搬送装置に関するものである。
【背景技術】
【０００２】
近年、例えば高気密・高断熱の住宅等において、屋内の空気が屋外の空気と十分に置換できないので、各々の部屋毎に積極的に換気を行うようにした換気装置がある。この装置は、ファンによって給気ボックスからエアの供給を行い、ファンによって排気ボックスにエアを吸引するように構成したチャンバーファンを備えている。チャンバーファンには、多数の空気ダクト孔を開口配置し、当該空気ダクト孔と各部屋の給気口及び排気口とを個別に直接連結するように部屋毎専用の給気空気ダクト及び排気空気ダクトを配置してある。そして、チャンバーファンの給気ボックス乃至その空気ダクト孔には、負イオン（マイナスイオン）発生手段を配置してあり、さらに各空気ダクト孔に風量調整手段を配置してある（例えば、特許文献１参照）。
【０００３】
また、空気搬送路の内壁面に浮遊物が付着することを防ぎ、空気搬送路に流れ込む空気を浮遊物が汚染することがない空調ダクト装置がある。この装置は、空気を給気するとともに空気に含まれる塵や埃を除去した後に空気を空気搬送路に送風する送風手段と、高電圧印加電極と当該高電圧印加電極に対向して配置された接地電極とを有して送風手段が送風した空気に負イオンを供給する負イオン発生手段と、負イオン発生装置が供給した負イオンによって負極性に帯電した空気に含まれる浮遊物が空気搬送路の内壁面に付着しないように空気搬送路の内壁面を負極性に帯電させる表面電位発生手段とを備えている（例えば、特許文献２参照）。
【０００４】
【特許文献１】特開２００３−９７８３６号公報
【特許文献２】特開２００２−２７７０１０号公報
【発明の開示】
【発明が解決しようとする課題】
【０００５】
ところで、近年では、負イオン（マイナスイオン）および正イオン（プラスイオン）を共に発生して空気に含ませた空気イオンによって、カビ菌およびウィルスなどの空気中に浮遊する細菌を殺菌、不活化することが知られている。
【０００６】
しかしながら、図１５−１に示すように正イオンを発生する正イオン発生装置１０４ａと負イオンを発生する負イオン発生装置１０４ｂとを直接当接した状態で設置する場合には、イオンの発生量が相殺される、という問題がある。これは、図１５−２に示すように正イオンを発生する正イオン発生装置１０４ａ同士であっても、図１５−３に示すように、負イオンを発生する負イオン発生装置１０４ｂ同士であっても同様であるので、イオン発生量が激減しないことが切望されている。
【０００７】
また、集中換気装置から複数の部屋に空気イオンを供給する場合には、各部屋に均等にイオンを供給することが必要となり、複数の給気口でのイオン量に片寄りがないことが望まれている。
【０００８】
本発明は、上記実情に鑑みて、イオンの発生量が減衰することなく、しかも各部屋に均一にイオンを供給することができる空気イオン搬送装置を提供することを課題とする。
【課題を解決するための手段】
【０００９】
上記の課題を達成する第１の発明は、外部から給気した空気に、負イオン又は正イオン又はこれらの両イオンを含ませる空気イオン発生装置を少なくとも０．１ｃｍ以上離して複数設置してなることを特徴とする空気イオン搬送装置にある。
【００１０】
第２の発明は、第１の発明において、外部から送風機を介して空気を導入する換気装置を有し、該換気装置内に一定間隔を有して均等に複数の空気イオン発生装置を配設してなることを特徴とする空気イオン搬送装置にある。
【００１１】
第３の発明は、第２の発明において、前記送風機側に複数の空気イオン発生装置を配設してなることを特徴とする空気イオン搬送装置にある。
【００１２】
第４の発明は、第２の発明において、前記送風機の吹出し口側に複数の空気イオン発生装置を配設してなることを特徴とする空気イオン搬送装置にある。
【００１３】
第５の発明は、第２の発明において、前記送風機の吹出し口側にイオンの種類の異なる空気イオン発生装置を隣接してなることを特徴とする空気イオン搬送装置にある。
【００１４】
第６の発明は、第２の発明において、前記送風機の送風機側と吹出し口側との間のいずれかに、複数の空気イオン発生装置を配設してなることを特徴とする空気イオン搬送装置
にある。
【００１５】
第７の発明は、第２乃至６のいずれか一つの発明において、前記空気イオン発生装置が、負イオンを含ませる空気イオン発生装置又は正イオンを含ませる空気イオン発生装置のいずれか一種を配設してなることを特徴とする空気イオン搬送装置にある。
【００１６】
第８の発明は、第２乃至６のいずれか一つの発明において、前記空気イオン発生装置が、負イオンを含ませる空気イオン発生装置又は正イオンを含ませる空気イオン発生装置を混在配設してなることを特徴とする空気イオン搬送装置にある。
【００１７】
第９の発明は、第２乃至６のいずれか一つの発明において、前記空気イオン発生装置が、負イオンを含ませる空気イオン発生装置又は正イオンを含ませる空気イオン発生装置のいずれか一方又は両方と、負イオンと正イオンとを同時に発生する空気イオン発生装置とを混在配設してなることを特徴とする空気イオン搬送装置にある。
【００１８】
第１０の発明は、第２の発明において、前記送風機の吹出し口側に設けられた継手に接続され、１又は２以上の部屋へ個別に空気を搬送する空気ダクトを設けてなり、前記換気装置内に空気ダクトに対応した仕切り部を配設してなり、該仕切り部内に負イオンと正イオンとを同時に発生する空気イオン発生装置を隣接してなることを特徴とする空気イオン搬送装置にある。
【００１９】
第１１の発明は、第２の発明において、前記送風機の吹出し口側に設けられた継手に接続され、１又は２以上の部屋へ個別に空気を搬送する空気ダクトを設けてなり、前記換気装置内に空気ダクトに対応した仕切り部を配設してなり、該仕切り部内に負イオンと正イオンとを同時に発生する空気イオン発生装置を設けてなることを特徴とする空気イオン搬送装置にある。
【００２０】
第１２の発明は、第２乃至１１のいずれか一つの発明において、前記送風機からの空気送風方向を案内する整流板を配設してなることを特徴とする空気イオン搬送装置にある。
【００２１】
第１３の発明は、外部から送風機を介して空気を導入する換気装置と、前記送風機の吹出し口側に設けられた継手に接続され、１又は２以上の部屋へ個別に空気を搬送する空気ダクトを設けてなり、前記送風機から空気ダクト側に向かって拡開した仕切り部を設けてなると共に、前記送風機側に送風量を一時的に絞る絞り部を形成してなり、前記絞り部内に負イオン又は正イオン又はこれらの両イオンを含ませる空気イオン発生装置を設けてなることを特徴とする空気イオン搬送装置にある。
【００２２】
第１４の発明は、外部から送風機を介して空気を導入する換気装置と、前記送風機の吹出し口側に設けられた継手に接続され、１又は２以上の部屋へ個別に空気を搬送する空気ダクトを設けてなり、前記送風機から空気ダクト側に向かって拡開した仕切り部を設けてなると共に、前記送風機側に送風量を一時的に絞る絞り部を形成してなり、前記絞り部内に負イオンと正イオンとを同時に発生する空気イオン発生装置を設けてなることを特徴とする空気イオン搬送装置にある。
【００２３】
第１５の発明は、第１３又は１４の発明において、空気イオン発生装置を少なくとも０．１ｃｍ以上離して複数設置してなることを特徴とする空気イオン搬送装置にある。
【発明の効果】
【００２４】
本発明に係る空気イオン搬送装置によれば、所定間隔をもって空気イオン発生装置を配設してなるので、空気イオンの減衰が少なく、高濃度の空気イオンを供給することができる。また、空気イオンを均一に供給することが可能となる。
また、空気ダクトに対応するような仕切り部を設け、該仕切り部内に空気イオン発生装置を配設するので、空気イオンを均一に供給することができる。
また、整流板を配設することで、空気ダクトに供給する空気イオンを均一とすることができる。
また、絞り部を設け、該絞り部内に空気イオン発生装置を配設することで、空気イオンが溜まることがなく、減衰率が低減する。
更に、送風機のファンのノッチ切換により風量を上昇させることにより、供給するイオン濃度を上げることができる。
【発明を実施するための最良の形態】
【００２５】
以下に添付図面を参照して、本発明に係る空気イオン搬送システムの好適な実施例を詳細に説明する。なお、この実施例によりこの発明が限定されるものではない。
【実施例】
【００２６】
図１は本発明に係る空気イオン搬送装置を適用した空調システムの一実施例を示す概略構成図である。
【００２７】
図１に示すように、本実施例にかかる空調システムは、例えば空調設備等に採用されて住宅等の部屋に空気イオンを搬送するものであり、例えば集中換気装置１０１の筐体１０２内に設けられ、外部から給気した空気１０３に正イオンを発生させる正イオン発生装置１０４ａと負イオンを発生させる負イオン発生装置１０４ｂとを所定間隔ｄをもって交互に配した空気イオン発生装置ユニット１０４と、前記筐体に設けられた継手（本実施例では４本）１０５−１〜１０５−４に接続され、複数部屋（本実施例では４部屋）へ個別に空気を搬送する空気ダクト１０６−１〜１０６−４と、前記空気イオン発生装置を制御する図示しない制御装置とを具備してなり、各部屋の要求に応じて空気イオンの発生の有無又はイオン発生量を制御装置により調節してなるものである。なお、図１中、符号１０８は部屋内に空気を噴出す吹出し部を図示する。
【００２８】
また、本実施例にかかる空気イオン発生装置ユニット１０４は、正イオンを発生させる正イオン発生装置１０４ａと負イオンを発生させる負イオン発生装置１０４ｂとを所定間隔ｄをもって交互に配してなるものであり、その間隔ｄは少なくとも０．１ｃｍ以上、好ましくは０．５ｃｍ以上、さらに好ましくは１ｃｍ以上とするのがよい。
【００２９】
このようにイオン発生装置を少なくとも０．１ｃｍ以上離して設置することにより、発生したイオンの減衰が激減する。なお、間隔ｄは、筐体１０２の大きさ、イオン発生装置の設置数及びその発生能力により、最適な間隔は適宜変化する。例えば筐体１０２の横幅が５０ｃｍの場合に、イオン発生装置を４台設置する場合には、少なくとも１ｃｍ〜５ｃｍ程度離して設置することにより、イオンの減衰量の低下を防止することができた。
【００３０】
また、送風機１２０側に空気イオン発生装置ユニット１０４を設置することにより、筐体内で負イオンと正イオンとが均一に混合され、継手１０５−１〜１０５−４から各々の部屋に空気ダクト１０６−１〜１０６−４を介して、均一な空気イオンを供給することが可能となる。
【００３１】
なお、本例では、ダクトを４本としているが、本発明はこれに限定されるものではなく、１本のダクトとして一部屋に供給するような場合においてもできる。また大部屋や湿気や汚れがひどい場合には部屋の条件等に応じて適宜調整することができる。
【００３２】
ここで、前記集中換気装置１０１の筐体１０２の内部には送風機１２０が配設されている。また、必要に応じて給気側に種々の空気清浄装置１０９を設けるようにしてもよい。前記空気清浄装置としては,例えばＨＥＰＡフィルタ（Ｈｉｇｈ Ｅｆｆｉｃｉｅｎｃｙ Ｐａｒｔｉｃｕｌａｔｅ Ａｉｒ Ｆｉｌｔｅｒ）等からなり、送風機１２０の稼働によって給気される空気中の塵埃等を主に除去するものである。この空気清浄装置は、給気する空気の状態に応じて比較的粗大な汚染物を除去するフィルタや、ＮＯX・ＳＯXや化学物質や花粉等を除去するフィルタ等を適宜採用するようにしてもよい。
この空気清浄装置により集塵することにより、ダクト内空気イオンは更に効率良く搬送することができるようになる。
【００３３】
なお、イオンはフィルタ通過時に減衰するものが多く、プレフィルタ、除塵フィルタ等の各種フィルタは空気イオン発生装置の上流側に設置することが望ましい。但し、フィルタそのものに荷電等がなく、発生したイオンが減衰されない場合には、イオン発生装置の下流側に設置することができる。
【００３４】
このように、本実施例にかかる空気イオン搬送装置は、各部屋に空気イオンを搬送するものであり、送風機１２０、必要に応じて設けられる空気清浄手段１０９、空気イオン発生装置１０４及び空気ダクト１０６−１〜１０６−４から構成されている。
【００３５】
前記空気イオン発生装置ユニット１０４は、図には明示しないが、高電圧発生部とイオン発生部とを対向配置し、高電圧発生部からイオン発生部に高電圧を印加することによってコロナ放電により、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）とを主体とした正負のイオン（プラスイオンとマイナスイオン）を生成し、これらをファン等により空間に放出させる。これら、Ｈ+（Ｈ2Ｏ）m及びＯ2-（Ｈ2Ｏ）nは、浮遊菌の表面に付着し、化学反応して活性種である過酸化水素（Ｈ2Ｏ2）又は水酸基ラジカル（・ＯＨ）を生成する。Ｈ2Ｏ2又は・ＯＨは、極めて強力な活性を示すため、これらにより、空気中の浮遊細菌を取り込んで不活化することができる。ここで、・ＯＨは活性種の１種であり、ラジカルのＯＨを示している。
【００３６】
正負のイオンは、浮遊細菌の細胞表面で下記式（１）〜式（３）に示すように化学反応して、活性種である過酸化水素（Ｈ2Ｏ2）又は水酸基ラジカル（・ＯＨ）を生成する。ここで、式（１）〜式（３）において、ｍ、ｍ′、ｎ、ｎ′は任意の自然数である。これにより、活性種の分解作用によって浮遊細菌が破壊される。したがって、効率的に空気中の浮遊細菌を不活化、殺菌することができる。
【００３７】
Ｈ+（Ｈ2Ｏ）m＋Ｏ2-（Ｈ2Ｏ）n→・ＯＨ＋1/2Ｏ2＋（ｍ＋ｎ）Ｈ2Ｏ…式（１）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→２・ＯＨ＋Ｏ2＋（ｍ＋ｍ′＋ｎ＋ｎ′）Ｈ2Ｏ…式（２）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→Ｈ2Ｏ2＋Ｏ2＋（ｍ＋ｍ′＋ｎ＋ｎ′）Ｈ2Ｏ…式（３）
以上のメカニズムにより、前記正負イオンの放出により浮遊菌等の殺菌効果を得ることができる。
【００３８】
また、前記式（１）〜式（３）は、空気中の有害物質表面でも同様の作用を生じさせることができるため、活性種である過酸化水素（Ｈ2Ｏ2）又は水酸基ラジカル（・ＯＨ）が、有害物質を酸化もしくは分解して、ホルムアルデヒドやアンモニア等の化学物質を、二酸化炭素や、水、窒素等の無害な物質に変換することにより、実質的に無害化することが可能である。
【００３９】
なお、本例では、空気イオン発生装置を箱型形状のもので説明するが、本発明はこれに限定さるものではなく、例えば電極形状のもの、棒形状又は針形状等の種々の形態のイオン発生装置を用いることができる。
【００４０】
したがって、送風機１２０を駆動することにより、所定間隔ｄを持って配設された正イオン発生装置１０４ａ及び負イオン発生装置１０４ｂからなる空気イオン発生ユニット１０４によって発生させた正イオンと負イオンとを本体外に送り出すことができる。そして、これらの正イオンと負イオンの作用により空気中のカビや菌の微生物を殺菌することができる。
その他、正イオンと負イオンには、コクサッキーウィルス、ポリオウィルス、等のウィルス類も不活化する働きがあり、これらウィルスの混入による汚染が防止できる。
また、正イオンと負イオンには、臭いの元となる分子を分離する働きがあることも確かめられており、空間の脱臭にも利用できる。
【００４１】
また、空気ダクトの配置は同一方向に向かって配置するものに限定されるものではなく、例えば図２に示すように、空気ダクト１０６−５と空気ダクト１０６−６とを筐体１０２の側壁に設けるような配置とする場合においても、所定間隔ｄを持って配設された正イオン発生装置１０４ａ及び負イオン発生装置１０４ｂからなる空気イオン発生ユニット１０４によって発生させた正イオンと負イオンとを本体外に送り出すことができる。
【００４２】
また、図３に示す装置において、大径のダクト１３１により、所定個所まで一括して給気し、分岐チャンバ１３２にて各部屋に分岐する際に、該分岐チャンバ１３２内に所定間隔を持って配設するようにしてもよい。
これにより、設計の関係上共通ダクト１３１用いて外気を所定場所に配置した分岐チャンバ１３２にて空気イオンの減衰量の低下を防止することなく供給することができる。
【００４３】
また、図４に示すように、筐体１０２内に空気ダクト１０６−１〜１０６−４に対応して空気を導入する仕切り部１２１−１〜１２１−３を配設し、該仕切り部１２１−１〜１２１−３内に正イオンと負イオンを同時に発生する空気イオン発生装置１０４ｃを４箇所配設するようにしてもよい。
これにより、各空気ダクト１０６−１〜１０６−４内に正負の空気イオンが確実に送給されることとなり、各部屋に均一にイオンを供給することが確実となる。
【００４４】
また、本実施例では、整流板１２２−１〜１２２−４が所定間隔をもって配設されており、第１の空気ダクト１０６−１及び第４の空気ダクト１０６−４に送風機１２０からの空気を安定供給するようにしている。
すなわち、整流板１２２−１〜１２２−４を配設しない場合には、第２空気ダクト１０６−２及び第３の空気ダクト１０６−３に送風機１２０からの空気が集中することとなるが、減衰を考慮した上で第２空気ダクト１０６−２及び第３の空気ダクト１０６−３を長くしたり、またはイオン効果を高める部屋へイオンを多量に供給したりする場合には、効果的である。
【００４５】
また、図５に示すように、筐体１０１内に空気ダクト１０６−１〜１０６−４に対応して空気を導入する仕切り部１２１−１〜１２１−３を配設し、該仕切り部１２１−１〜１２１−３内に正イオン発生装置１０４ａと負イオン発生装置１０４ｂとを所定間隔ｄを有して一対配設するようにしてもよい。
これにより、所定間隔ｄを持って異なるイオンの発生装置が配設されているので、発生したイオンの減衰が抑制され、しかも各空気ダクト１０６−１〜１０６−４内には、正負の空気イオンが確実に送給されることとなり、各部屋に均一にイオンを供給することが確実となる。なお、整流板を設置する効果は図２に示す実施例の場合と同様である。
【００４６】
また、図６に示すように、送風機側に種類の異なる空気イオン発生装置が所定間隔ｄをもって配設されている。本実施例では、正イオン発生装置１０４ａを１台とその両側に負イオン発生装置１０４ｂを２台配設しており、筐体１０２内における負イオンの発生量を増大させている。これは、通常は正イオン発生装置１０４ａと負イオン発生装置１０４ｂとは一対として同数とするのが好ましいが、例えば負イオンの量を増大させたい場合には負イオン発生装置１０４ｂの数を正イオン発生装置１０４ａの数よりも多くしている。これにより、コストの関係から例えば負イオンが減衰し易い部材や材料を多用したダクト等を用いる場合において、各部屋においては、正イオンと負イオンとが同数とする等に調整することができる。
【００４７】
また、空気イオン発生装置の配設は送風機側又はダクト側に何ら限定されるものではなく、例えば図７に示すように、正イオン発生装置１０４ａを送風機側に、そして送風機側とダクト側の中間域に負イオン発生装置を配設するようにしてもよい。なお、それらには素子面の向きの配置も含まれる。また、空気イオン発生装置は、平面的（Ｘ−Ｙ方向）な配置に限定されるものではなく、高さ方向（Ｚ方向）における配置も含むようにしてもよい。必要なイオン量の多寡、筐体の形状や大きさ、吹出し口の数等によって、イオン発生装置の組合せを適宜変更することができる。
また、送風機１２０からの風速、必要なイオン供給濃度等により最適なイオン発生装置の設置を行うようにすればよい。
【００４８】
また、図８に示すように、正イオン発生装置１０４ａと負イオン発生装置１０４ｂと正負イオン発生装置１０４ｃとを混在させるようにしてもよい。なお、この場合における設置間隔ｄは少なくとも０．１ｃｍ以上離していれば、均等でなくともよい。本実施例の場合には、正負イオン発生装置１０４ｃの両側に正イオン発生装置１０４ａと負イオン発生装置１０４ｂとを所定間隔ｄ1で配設すると共に、前記正イオン発生装置１０４ａの外側には負イオン発生装置１０４ｂを、負イオン発生装置１０４ｂの外側には正イオン発生装置１０４ａを各々所定間隔ｄ2で配設するようにしている。
【００４９】
また、図９に示すように、正イオン発生装置１０４ａと負イオン発生装置１０４ｂとを中心部分は所定間隔ｄ3としその両側には所定間隔ｄ4で配設するようにしている。
【００５０】
また、前述した実施例においては、空気イオン発生装置は空気の送風方向と略同一方向となるように設置しているが、これに限定されるものではなく、例えば空気の送風方向と直交する方向、上下方向、発生面が向かい合わせとなる方向、又は発生面が背中合わせとなる方向等種々設置するようにしてもよい。図１４−１〜図１４―１１において、空気イオン発生装置の種々のその他の好適な配置例を示すが、本発明はこれらに限定されるものではない。
図１４−１は、負イオン発生装置１０４ｂ同士を背中合わせに配置した例である。図１４−２は、正負イオン発生装置１０４ａ同士を背中合わせに配置した例である。図１４−３は、負イオン発生装置１０４ｂ及び正イオン発生装置１０４ａを背中合わせに配置した例である。図１４−４は、正負イオン発生装置１０４ｃを線対称に背中合わせに配置した例である。図１４−５は、正負イオン発生装置１０４ｃを点線対称に背中合わせに配置した例である。図１４−６は、負イオン発生装置１０４ｂ及び正イオン発生装置１０４ａを横並びに配置した例である。図１４−７は、負イオン発生装置１０４ｂ同士を横並びに配置した例である。図１４−８は、正イオン発生装置１０４ａ及び負イオン発生装置１０４ｂを横並びに配置した例である。図１４−９は、正負イオン発生装置１０４ｃ同士を線対称に横並びに配置した例である。図１４−１０は、正負イオン発生装置１０４ｃ同士を順に横並びに配置した例である。図１４−１１は、正負イオン発生装置１０４ｃを発生面が異なる面として縦位置に配置した例である。
【００５１】
また、図１０に示すように、外部から送風機１２０を介して空気を導入する集中換気装置１０１の筐体１０２内において、前記送風機１２０側から空気ダクト１０６側に向かって拡開した仕切り部１３１を設けてなると共に、前記送風機１２０側に風の通り道を一時的に絞る絞り部１３２を形成してなり、前記絞り部１３２内に空気イオン発生装置を設けてなるようにしてもよい。なお、風速を一時的に上昇させるようにしてもよい。
本実施例では、正負イオンを発生する正負イオン発生装置１０４ｃを、前記絞り部１３２内に１台設けているが、複数であってもよい。
送風機１２０からの送風量が同一の場合において、イオン発生装置の側面を通過する風速が速い場合には、イオンの滞留域が存在することがなく、イオンの減衰が少ないものとなる。更に、送風機１２０のファンのノッチ切換により風量を上昇させることにより、供給するイオン濃度を上げることができる。
【００５２】
また、図１１に示すように、種類の異なるイオン発生装置を一対以上設ける場合にも、絞り部１３２内に所定間隔を持って配設するようにすればよい。また、図１２に示すように、正イオン発生装置１０４ａと負イオン発生装置１０４ｂとを一対とし、これらを３組設置する場合にも、所定間隔とすると共に、仕切り部１３１を設けることにより、滞留域を少なくしてイオンの減衰を更に抑制するようにしている。
【００５３】
基本的には、空気イオン発生装置の設置数は多いほうがイオンの発生量が多くなるが、筐体の大きさによりイオンの発生装置を設置する間隔が所定間隔とすることができない場合には、イオンの相殺による低減効果が出現するので、最適なイオン発生装置の設置となるように種々の条件により設置するようにすればよい。
【００５４】
また、前記継手１０５及び空気ダクト１０６は、非帯電構造或いは帯電性の低い構造とするのが好ましい。非帯電構造或いは帯電性の低い構造としては、帯電しない、あるいは帯電しにくい構造であり、図には明示しないが各空気ダクト等にアースを設ける構造があ
形成する、もしくは前記空気ダクト等の少なくとも内面を非帯電性の形状に構成することが考えられる。非帯電性の材料としては、アルミニウム等の金属材料、又は樹脂系材料等がある。なお、樹脂系材料としては、例えば負イオンを含む空気を搬送するダクトの場合には正に帯電しない、あるいは帯電しにくい樹脂系材料を採用し、正イオンを含む空気を搬送するダクトの場合には負に帯電しない、あるいは帯電しにくい樹脂系材料を採用するようにすればよい。
【００５５】
また、非帯電性の構成としては、蛇腹形状、空気ダクト内での番線のピッチ、又は空気ダクトの内面材の接着方法等がある。すなわち、非帯電構造では、空気ダクトにおいて空気が触れる内面に対して帯電しない、あるいは帯電しにくい構造を備えることが重要である。
【００５６】
次に、本発明の空気イオン搬送システムはファンにより給気する第一種又は第二種等の換気システムに適用することができる。次に、本発明の空気イオン搬送システムを適用した集中換気システムの一例を図１３に示す。
【００５７】
図１３に示すように、高気密・高断熱の住宅等において、屋内の空気（内気）と屋外の空気（外気）とを置換するシステムに適用したものである。なお、図１３では、１フロア３ＬＤＫの間取りの住宅を一例として示している。具体的には、部屋としてリビング１ａ、和室１ｂ、第１洋室１ｃ及び第２洋室１ｄがある。和室１ｂは襖を介してリビング１ａに通じている。このリビング１ａには、台所１ｅがある。また、リビング１ａ、第１洋室１ｃ及び第２洋室１ｄは、それぞれドアを介して廊下１ｆに通じている。また、廊下１ｆには、ドアを介してトイレ１ｇが通じている。さらに、廊下１ｆには、ドアを介して脱衣所１ｈが通じ、当該脱衣所１ｈの奥にはドアを介して浴室１ｉが通じている。
【００５８】
図１３に示すように本換気システムは、天井裏等に換気手段２を配置してある。前記換気手段２は、第一種換気を行うものであり、給気側筐体２Ａの内部に図示しない給気側送風機と、排気側筐体２Ｂ内部に図示しなし排気側送風機とを設けてある。
前記給気側筐体２Ａは、外気取込口３ａ、給気口３ｂを有しており、一方、排気側筐体２Ｂは、内気取込口３ｃ及び排気口３ｄを有している。また、前記外気取込口３ａ及び排気口３ｄは屋外側に通じ、給気口３ｂ及び内気取込口３ｃは屋内側に通じる。
前記給気側送風機は、その稼働によって外気取込口３ａから筐体２Ａの内部に屋外側の空気を取り込み、当該空気を給気口３ｂから屋内側に給気する。
前記排気側送風機は、その稼働によって内気取込口３ｃから筐体２Ｂの内部に屋内側の空気を取り込み、当該空気を排気口３ｄから屋外側に排気する。
【００５９】
また、給気側筐体２Ａの外気取込口３ａの位置には、図示しないフィルタが設けてある。このフィルタは、例えばＨＥＰＡフィルタが好ましい。これらのフィルタは、主に花粉や臭いやＮＯｘ等を集塵する。
【００６０】
図１３に示すように前記構成の換気手段２に関して、外気取込口３ａ及び給気口３ｂには給気系空気ダクトが接続してあり、内気取込口３ｃ及び排気口３ｄには排気系空気ダクトが接続してある。具体的に、外気取込口３ａには、屋外側に通じる給気空気ダクト１０ａが接続してある。また、給気口３ｂには、屋内側に通じる給気空気ダクト１０ｂが接続してある。また、内気取込口３ｃには、屋内側に通じる排気空気ダクト１１ａが接続してある。また、排気口３ｄには、屋外側に通じる排気空気ダクト１１ｂが接続してある。
【００６１】
給気空気ダクト１０ａは、外気取込口３ａから室内の天井裏等を経由して図１３で示す屋外側となる玄関１２等に向けて設けてある。また、給気空気ダクト１０ａが玄関１２等に至る端部には、給気吸込口１３が設けてある。
【００６２】
前記給気空気ダクト１０ｂは、給気口３ｂから室内の天井裏等を経由して図１３で示す屋内の各部屋であるリビング１ａ、和室１ｂ、第１洋室１ｃ及び第２洋室１ｄに向けて分岐して設けてある。また、給気空気ダクト１０ｂが前記各部屋１ａ，１ｂ，１ｃ，１ｄに至る端部には、給気吹出口１４が設けてある。
【００６３】
前記排気空気ダクト１１ａは、内気取込口３ｃから室内の天井裏等を経由して図１３で示す屋内の各部屋であるトイレ１ｇ及び浴室１ｉに向けて分岐して設けてある。また、排気空気ダクト１１ａが前記トイレ１ｇ及び浴室１ｉに至る端部には、排気吸込口１５が設けてある。
【００６４】
排気空気ダクト１１ｂは、排気口３ｄから室内の天井裏等を経由して図１３で示す屋外側である建物外壁１６等に向けて設けてある。また、排気空気ダクト１１ｂが建物外壁１６等に至る端部には、排気吹出口１７が設けてある。
【００６５】
また、屋内には、前記給気吹出口１４と排気吸込口１５とを通じさせる通風手段１８が設けてある。この通風手段１８は、和室１ｂからリビング１ａに通じる襖ガラリ、リビング１ａから廊下１ｆに通じるドアアンダーカット、第１洋室１ｃから廊下１ｆに通じるドアアンダーカット、第２洋室１ｄから廊下１ｆに通じるドアアンダーカット、廊下１ｆからトイレ１ｇに通じるドアアンダーカット、廊下１ｆから脱衣所１ｈに通じるドアアンダーカット、及び脱衣所１ｈから浴室１ｉに通じるドアガラリ等がある。
【００６６】
ところで、前記の構成に関して、前記換気手段２に前述した図１乃至図１２に示すような空気イオン搬送装置が適用されている。この結果、イオン発生の減衰が防止され、また、各部屋に均一に空気イオンの供給を可能としている。なお、空気イオン発生装置の可動は、換気手段２の給気側送風機および排気側送風機の稼働とは別に各々独立して各部屋１ａ，１ｂ，１ｃ，１ｄに配置したスイッチ２１によってＯＮ／ＯＦＦ及び空気イオン発生量を制御することが可能である。また、リビング等一室に集中して各部屋のイオン量、風量を制御するようにしてもよい。
【００６７】
以上のように、空気イオン搬送システムによれば、各部屋の要求に応じた空気イオンの搬送が可能となるので、各部屋に個別に空気イオン発生手段を設けなくてもよいため、各部屋での設計上の制約を受けることがない。
また、各部屋に設けた空気供給口に空気イオン発生手段を設けなくてもよいため、水廻り部での湿気の影響やその他特殊な部屋（冷凍室、冷蔵室、高温室、工場や医療施設で薬剤使用あるいは薬剤薫蒸する部屋等）での空気イオン発生手段への直接的な影響がないので、継続的で安定した空気イオンの供給が可能になる。
そして、空気ダクトによる空気イオンの搬送なので常時ダクト内の殺菌や脱臭が可能である。このため、前記空気イオン搬送装置は、住宅に限らず、オフィス、医療施設、老健施設、宿泊施設、教育施設あるいは美術館等の配管空調システム導入のあらゆる用途の建物に適応することが可能である。
【産業上の利用可能性】
【００６８】
以上のように、本発明に係る空気イオン搬送装置は、例えば住宅等の種々の建物用途の部屋に負イオンや正イオンを空気に含ませた空気イオンを供給することに有用であり、特に、イオンの発生の減衰を防止し、また空気イオンの有効濃度を維持した状態で当該空気イオンを搬送することに適している。
【図面の簡単な説明】
【００６９】
【図１】本発明に係る空気イオン搬送装置の一実施例を示す概略構成図である。
【図２】本発明に係る空気イオン搬送装置の他の一実施例を示す概略構成図である。
【図３】本発明に係る空気イオン搬送装置の他の一実施例を示す概略構成図である。
【図４】本発明に係る空気イオン搬送装置の他の一実施例を示す概略構成図である。
【図５】本発明に係る空気イオン搬送装置の他の一実施例を示す概略構成図である。
【図６】本発明に係る空気イオン搬送装置の他の一実施例を示す概略構成図である。
【図７】本発明に係る空気イオン搬送装置の他の一実施例を示す概略構成図である。
【図８】本発明に係る空気イオン搬送装置の他の一実施例を示す概略構成図である。
【図９】本発明に係る空気イオン搬送装置の他の一実施例を示す概略構成図である。
【図１０】本発明に係る空気イオン搬送装置の他の一実施例を示す概略構成図である。
【図１１】本発明に係る空気イオン搬送装置の他の一実施例を示す概略構成図である。
【図１２】本発明に係る空気イオン搬送装置の他の一実施例を示す概略構成図である。
【図１３】本発明に係る空気イオン搬送システムを適用した換気システムの一実施例を示す概略構成図である。
【図１４−１】空気イオン発生装置の好適な配置例を示す概略構成図である。
【図１４−２】空気イオン発生装置の好適な配置例を示す概略構成図である。
【図１４−３】空気イオン発生装置の好適な配置例を示す概略構成図である。
【図１４−４】空気イオン発生装置の好適な配置例を示す概略構成図である。
【図１４−５】空気イオン発生装置の好適な配置例を示す概略構成図である。
【図１４−６】空気イオン発生装置の好適な配置例を示す概略構成図である。
【図１４−７】空気イオン発生装置の好適な配置例を示す概略構成図である。
【図１４−８】空気イオン発生装置の好適な配置例を示す概略構成図である。
【図１４−９】空気イオン発生装置の好適な配置例を示す概略構成図である。
【図１４−１０】空気イオン発生装置の好適な配置例を示す概略構成図である。
【図１４−１１】空気イオン発生装置の好適な配置例を示す概略構成図である。
【図１５−１】空気イオン発生装置の悪い配置例を示す概略構成図である。
【図１５−２】空気イオン発生装置の悪い配置例を示す概略構成図である。
【図１５−３】空気イオン発生装置の悪い配置例を示す概略構成図である。
【符号の説明】
【００７０】
１００  空気イオン搬送システム
１０１  集中換気装置
１０２  筐体
１０３  空気
１０４ａ  正イオン発生装置
１０４ｂ  負イオン発生装置
１０４ｃ  正負イオン発生装置
１０４  空気イオン発生装置ユニット
１０５−１〜１０５−４  継手
１０６−１〜１０６−４  空気ダクト
１０８  給気吹出し部
ｄ  間隔
【図１】
2005337610.tif 000003
【図２】
2005337610.tif 000004
【図３】
2005337610.tif 000005
【図４】
2005337610.tif 000006
【図５】
2005337610.tif 000007
【図６】
2005337610.tif 000008
【図７】
2005337610.tif 000009
【図８】
2005337610.tif 000010
【図９】
2005337610.tif 000011
【図１０】
2005337610.tif 000012
【図１１】
2005337610.tif 000013
【図１２】
2005337610.tif 000014
【図１３】
2005337610.tif 000015
【図１４−１】
2005337610.tif 000016
【図１４−２】
2005337610.tif 000017
【図１４−３】
2005337610.tif 000018
【図１４−４】
2005337610.tif 000019
【図１４−５】
2005337610.tif 000020
【図１４−６】
2005337610.tif 000021
【図１４−７】
2005337610.tif 000022
【図１４−８】
2005337610.tif 000023
【図１４−９】
2005337610.tif 000024
【図１４−１０】
2005337610.tif 000025
【図１４−１１】
2005337610.tif 000026
【図１５−１】
2005337610.tif 000027
【図１５−２】
2005337610.tif 000028
【図１５−３】
2005337610.tif 000029